(57)【要約】【課題】簡単に運搬、設置することができ、必要に応じて容易に撤去することができる、さらに設置する面が凹凸の多い不整地であっても、多少の傾斜地であっても簡単に設置することができる集水、貯水装置を提供することを目的とする。【解決手段】柔軟な素材によって袋体１を構成する。その袋体１の上面に、浮力の大きい部分２と、浮力の小さい部分３とを設ける。浮力の小さい部分３には水を袋内に取り入れる集水口４を設ける。さらに排水口５を設けて構成する。【選択図】　図１
2004124612.tif 000002
【特許請求の範囲】
【請求項１】
柔軟な素材によって構成した袋体の上面に、
浮力の大きい部分と、
浮力の小さい部分とを設け、
浮力の小さい部分には水を袋内に取り入れる集水口を設け、
さらに排水口を設けて構成した、
集水、貯水装置。
【請求項２】
袋体を構成する素材は、
さらに伸縮性を備えている素材である、
請求項１記載の集水、貯水装置。
【請求項３】
排水口は、
集水口とは別に設けて構成した、
請求項１記載の集水、貯水装置。
【請求項４】
排水口は、
集水口と兼用して構成した、
請求項１記載の集水、貯水装置。
【発明の詳細な説明】
【０００１】
【発明の属する技術分野】
本発明は集水、貯水装置に関するものである。
【０００２】
【従来の技術】
従来の集水、貯水装置は、大規模なものはダムから、小規模なものは住宅の屋根に降った雨水を集めるタンクのようなものが存在する。
【０００３】
【発明が解決しようとする課題】
前記したような従来の集水、貯水装置は次のような問題を備えていた。
＜イ＞ダムのような大規模なものは計画から構築まで長い期間を必要とし、膨大な費用を要するものであった。
＜ロ＞小規模なものでも、屋根に集水部を、地上に貯水タンクを設けるといった広い面積を要するものであった。
＜ハ＞小規模なものでも、設置に手数を要し、いったん設置した後には容易に撤去することができない。
【０００４】
【本発明の目的】
本発明は上記のような問題を改善するためになされたもので、次のような集水、貯水装置を提供することを目的とする。
＜イ＞簡単に運搬、設置することができ、必要に応じて容易に撤去することができる集水、貯水装置。
＜ロ＞設置する面が凹凸の多い不整地であっても、多少の傾斜地であっても簡単に設置することができる集水、貯水装置。
【０００５】
【課題を解決するための手段】
上記のような目的を達成するために本発明の集水、貯水装置は、柔軟な素材によって構成した袋体の上面に、浮力の大きい部分と、浮力の小さい部分とを設け、浮力の小さい部分には水を袋内に取り入れる集水口を設け、さらに排水口を設けて構成した、集水、貯水装置である。
【０００６】
【発明の実施の形態】
以下図面にもとづいて本発明の一実施例を説明する。
【０００７】
＜イ＞全体の構成。
本発明の集水、貯水装置は、ウオーターベッドのように、柔軟な素材によって構成した袋体１である。
すなわち、底面膜と上面膜１１、および周囲を包囲した壁面膜１２によって構成した箱状の袋体１を基本形状とする。
ただし、袋体１の全体形状は図の実施例のように矩形に限定するものではなく、円盤状、多角形状、長い帯状、その他任意の形状のものを採用することができる。
袋体１を構成する柔軟な素材とは、公知の可撓性の材料を広く採用することができる。
さらに袋体１を構成する素材は、単に柔軟であるだけでなく、各種のゴムのように、伸縮性に富んだ材料であるとより有効である。
【０００８】
＜ロ＞浮力の付与。
袋体１の上面膜１１には、一部に浮力を与える。すなわち上面膜１１は、浮力の大きい部分２と、浮力の小さい部分３とを設ける。
なお、ここで「浮力の小さい」とは「浮力の大きい」に対する用語であり、特に浮力が与えられていない場合、すなわち「浮力がない」状況も含んだ意味である。
浮力の大きい部分２を構成するために、例えば上面膜１１の下に、ピンポン球のような浮力体２Ａを分散して配置する。
すると、袋体１の内部に水が入った場合に、浮力体２Ａの位置する部分の上面膜１１は下から押し上げられて山状に隆起する。
一方、浮力体２Ａの存在しない部分、すなわち浮力の小さい部分３の上面膜１１は押し上げられることがない。
その結果、袋体１の内部に水が入った場合に、浮力の大きい部分２は山状の、浮力の小さい部分３は山に取り囲まれた谷状に形成される。
浮力体２Ａを収納する代わりに、上面膜１１自体の一部を、比重の小さい材料で形成する構成を採用することもできる。
あるいは上面膜１１を二重構造として、その内部に比重の小さい材料を封入する構成を採用することもできる。
【０００９】
＜ハ＞集水口４。
袋体１の上面膜１１の一部には、水を袋内に取り入れる集水口４を開孔する。
この集水口４は、特に袋体１の上面膜１１の、浮力の小さい部分３に開孔して設ける。
前記したように、浮力の小さい部分３は、袋体１の内部に水が入った場合に周囲を山状に取り囲まれて谷を形成するから、その谷底に当たる位置に集水口４を開孔することになる。
この集水口４は、単なる小径の穴であるが、その上部空間を有孔のフィルター４１などで囲えば、ゴミや昆虫の袋体１の内部への侵入を阻止することができる。
集水口４に、袋体１の内部への流入は許すが、外部への排水を阻止する逆支弁を取り付けておけば、傾斜地に袋体１を設置した場合に、低い位置の集水口４から水が外部へ流出することを阻止できる。
【００１０】
＜ニ＞排水口５。
貯水した水は何らかの用途に使用するのであるから、排水口５が必要となる。そのために、袋体１の上面膜１１、底面膜、あるいは壁面膜１２に、集水口４とは別の位置に排水口５を設ける。
あるいは集水口４にホースを差し込んでポンプでくみ上げれば、集水口４を排水口５として兼用することもできる。
排水口５には、そこに弁を設置し、弁の開閉によって直接利用することができる。あるいは弁にパイプをつなげて、所定の位置まで水を誘導する。
弁として、電磁弁のような電流、空気圧、油圧などで操作可能な弁を使用すれば、遠方において袋体１の内部の水の利用が可能となる。
【００１１】
＜ホ＞袋体１の設置。
上記の構成の袋体１を、雨にさらされる場所に設置する。
例えば建物の屋上、大地の上、水面上などである。
その際に設置場所が建物の屋上であれば各種の給排水管や梁が突出している場合もある。また地表面であれば起伏の存在は避けられない。
しかし前記したように、袋体１は柔軟な材料で構成してあるから、給排水管や梁を撤去したり、大地を整地する必要がなく、直接その上に袋体１を設置することができる。
【００１２】
＜ヘ＞運搬、設置作業。
袋体１の製造後の姿は、いまだ膨張をしておらず、比較的薄い平面形状を呈している。さらに、袋体１は柔軟な材料で構成してある。
そのために、設置場所までの運搬は、円筒状に巻いた状態で自動車の荷台に乗せて行うことができ、きわめて経済的である。
また、設置の際には筒状に巻いた状態の袋体１を転がしてほどいて行けば、そのまま設置を完了することができる。
【００１３】
＜ト＞集水の機能。
上記のような状態で敷設した袋体１の表面に雨が降ると、開孔してある集水口４から水が内部に浸入する。
すると、袋体１の上面膜１１の浮力の大きい部分２が大きく浮き上がり、浮力の小さい部分３は大きい部分に引かれて上昇する。
その結果、前記したように、浮力の大きい部分２が山状に突設し、小さい部分３は相対的に谷を形成する。すると、雨水は谷に集まる。
この谷の底には集水口４が開孔しているから、水はこの集水口４から袋体１の内部に流入してゆく。
その結果，それまで縮まっていた袋体１が水圧によって風船が膨らむように徐々に展開、膨張し、その内部容積は集水量に応じて拡大してゆく。
その場合に袋体１の素材として、ゴムのような伸縮性の大きいものを使用すれば、より大きな内部容積を得ることができる。
こうして袋体１の内部には雨水で満たされてゆく。
袋体１の内部に水が充満すれば、それ以上の内部への流入は不可能であるから、その後の雨水はオーバーフローして外部へ排除される。
【００１４】
＜チ＞傾斜地への設置。
角度の大きい傾斜地に設置する場合には、袋体１の周囲に重りを置いたり、アンカーで固定することが望ましい。
その場合に雨水は、袋体１の低い位置に集まり、その部分の浮力体２Ａを押し上げて山状の突起を作ってゆき、その周囲に相対的に低くなった谷を形成する。
そのために初期には高い部分には貯水できないが、低い位置から徐々に水位が上昇してやがて袋体１の内部は水で満たされる。
その場合に、低い位置の集水口４に逆支弁を取り付けておけば、低い位置の排水口５から水が排水することを阻止することができる。
【００１５】
＜リ＞排水。
内部に集水した水を使用するには、排水口５の弁を開けばよい。
集水口４と排水口５を併用する場合には、集水口４からパイプを挿入し、ポンプを使用してこのパイプから水をくみ上げることもできる。
【００１６】
＜ヌ＞撤去。
なんらかの目的で貯水装置を撤去する場合が考えられる。
その場合には内部の水を完全に排水すれば、再度、袋体１の姿は上面膜１１と下面膜とが接触した、比較的薄い平面形状に戻る。
したがって、これを端部から巻いてゆけば、簡単に筒状に巻き取ることができる。その筒状体を自動車の荷台に載せて迅速に回収することができる。
【００１７】
【発明の効果】
本発明は上記したようになるから、次のような効果を達成することができる。
＜イ＞本体は、柔軟な素材によって構成した袋体１であるから、設置場所を選ばず、建物の屋上でも、山の斜面でも、あるいは水上に浮かべても利用することができる。したがって基本的な寸法のものを数種類用意しておけば、どのような場所へでも直ちに設置して貯水を開始することができる。
＜ロ＞袋体１を筒状に巻き取ることができるから、運搬、展開設置、撤去などがきわめて容易である。したがって従来の貯水装置に比較して、設置、運搬、あるいは撤去費用を大幅に低く抑えることができる。
＜ハ＞柔軟な素材で形成した袋体１によって構成するから、設置場所に多少の凹凸があっても問題なく設置することができる。
＜ニ＞既設の貯水池に本発明の集水、貯水装置を多数枚、浮かべれば、貯水池の表面からの水の蒸発を抑え、かつ雨水は確保することができるから、夏季の水不足を解消することができる。
＜ホ＞樹木を乱伐してしまったような樹木のない斜面に、本発明の集水、貯水装置を段段畑状に配置すれば、雨水を一時的に保存してその後長い時間をかけて徐々に排水することができる。そのために、斜面への急激な流出を阻止することができ、土砂崩れや山津波のような事故を防止することができる。
【図面の簡単な説明】
【図１】本発明の集水、貯水装置の実施例の斜視図。
【図２】その断面図。
【図３】集水状態の説明図。
【図４】集水状態の説明図。
【図５】斜面に設置した場合の集水中の状態の説明図。
【図６】斜面に設置した場合の集水後の状態の説明図。
【図１】
2004124612.tif 000003
【図２】
2004124612.tif 000004
【図３】
2004124612.tif 000005
【図４】
2004124612.tif 000006
【図５】
2004124612.tif 000007
【図６】
2004124612.tif 000008